【事件の表示】
昭和６３年特許願第　８４３２５号「液体噴射記録ヘッド」拒絶査定に対する審判事件［　（平成　１年１０月１２日出願公開、特開平　１−２５５５５０）、請求項の数（２）  ］について、次のとおり審決する。
【結　論】
　本件審判の請求は、成り立たない。
【理　由】
【１】手続の経緯・本願発明　　　　　　　　　　　
　本願は、昭和６３年４月６日の出願であって、その請求項１，２に係る発明は、平成１０年６月１６日付けの手続補正書により補正された明細書及び図面の記載からみて、特許請求の範囲の請求項１，２に記載されたとおりのものであるところ、その請求項２に係る発明（以下「本願発明」という）は、特許請求の範囲の請求項２の記載により特定される次のとおりのものである。
　「（２）、導入される記録液体を収容するとともに、該記録液体に熱によって気泡を発生させ、該気泡の体積増加にともなう作用力を発生させる熱エネルギー作用部を付設した流路と、該流路に連絡して前記記録液体を前記作用力によって液滴として吐出させるためのオリフィスと、前記流路に連絡して前記流路に前記記録液体を導入するための液室と、該液室に前記記録液体を導入する手段よりなる液体噴射記録ヘッドにおいて、前記熱エネルギー作用部は平坦な基板上に配設された少なくともアース電極、発熱体、制御電極よりなり、該アース電極が複数の発熱体に対して共通の電極であり、これらアース電極、発熱体、制御電極が設けられている基板を上から見て、前記発熱体、制御電極の２つの中心線及び前記流路の中心線が少なくとも前記流路部では実質上一致し、前記制御電極の巾が、前記流路部において、前記流路の巾より小さくされ、かつ、前記流路は、流路溝が形成された溝付き基板と前記熱エネルギー作用部が付設された平坦な基板とを積層することにより形成され、前記流路の離間部において前記溝付き基板と平坦な基板とが隙間なく接することを特徴とする液体噴射記録ヘッド。」
【２】引用文献に記載された発明
　これに対して、前置審査における拒絶理由に引用した特公昭５９−４３３１４号公報（以下「引用文献」という）には、「一般にインクと呼ばれる記録液を微細口（オリフィス）から小滴として吐出、飛翔させ、この小滴の被記録面への付着を以て記録を行なう液滴噴射記録装置」（公報１頁２欄２〜５行）に関する発明が図面とともに記載され、
　その目的に関して、「インク滴の吐出効率、吐出応登性或いは吐出安定性、長時間連続記録性に優れた装置を与える・・・高速記録が可能な装置を与える・・・製作が容易で極めて実用的な高密度マルチオリフィス化を可能にする新規記録装置を与えることにある。」（公報２頁３欄２６〜３３行）と記載され、
　その構成に関して、「而して、・・・本発明は、要するに、記録液の流路となる細孔と、該細孔に通じている所定口径ｄの開口と、前記細孔に沿って設けられた発熱部とを具備した液滴噴射記録装置において、」（公報２頁３欄３４〜３８行）、「第１図に於て、・・・インク供給部から導管１を通じて・・・導入されるインクＩＫは、記録ヘッド部３内に形成された長尺孔から成る作用室２内に流入し、そこを充填する。そして、この作用室２内に流入したインクＩＫは、前記作用室２の一部に付設された発熱体４の通電発熱に応じてその近傍で瞬時に状態変化をおこす。なお、前記発熱体４は、これに接続した電極５１，５２を介した通電によって、熱的パルスを発生し、これがインクＩＫに印加される。この熱作用によりＩＫは気泡発生等の状態変化を起こし、その結果として、作用室２の内圧が高まる。その結果、インクＩＫがオリフィス６より小滴７となって吐出・飛翔し、紙等の被記録部材１０上に付着することによって記録が為される。発熱体４は基板８上で且つ、作用室２の一部に接して設けられており、記録信号入力に従って電源９の電圧が印加された時、パルス状の発熱がなされる。このようにして・・・入力信号に相応するインク滴による記録が被記録部材１０上に飛来付着したインク小滴７によって為される。」（公報２頁４欄２９行〜３頁５欄５行）、「本発明に好適な発熱体４としては、第２図に模式的平面図で略示するとおり、鎖線で表わされる作用室２の領域内に設置され、且つ、前記作用室２の軸線　（図示、二点破線）に直交する辺をその短辺ａ（有さｌ１）とし、作用室２の軸線方向に長さ２×ｌ１以上となる長辺ｂを持つ面状の発熱抵抗体である。」（公報３頁５欄２１〜２８行）、「第９図にマルチアレイ記録ヘッドの作用室ブロックを構成するための２つの構成部品Ａ，Ｂが略面的斜視図によって描かれている。第９図ａは部品Ａを、又、第９図ｂは部品Ｂを夫々描いた図である。構成部品Ａは下記の手順に従って作成される。先ず、アルカリ金属弗化物系感光性ガラス・・・の平板を両面共に研磨処理した後、・・・切断する。」（公報４頁７欄１７〜２７行）、「第９図ａに示すとおり、ガラス板ＰＧには、断面５０μｍ×５０μｍの長尺溝ＬＶが１００μｍのピッチで所定数、形成された。」（公報４頁８欄７〜１０行）、「第９図ｂに示すような構成部品Ｂも準備される。この部品Ｂは、第１０図に第９図ｂのＸ−Ｙ線に於ける断面図で示すとおり、・・・金属等から成る基板・・・１１の片面に、蓄熱層・・・１２、発熱抵抗体層・・・１３、電極層・・・１４、保護層・・・１５、目止層・・・１６を順次積層した後、所定の大きさに切断して得られる。なお、この際、電極層１４は所定パターンにエッチングされ、第９図ｂに斜視図で略示するとおり、個別リード電極ＰＥ、及び共通リード電極ＣＥに分離される。そして、同時に発熱抵抗体層１３は、図示ｌ２の長さが夫々２５０μｍ、ｌ３の長さが５０μｍとなるようにしして、前記構成部品Ａに於ける長尺溝ＬＶと同ピッチで長方形のパターンＨＴで露出された。なお、第１０図に示した保護層１５及び目止層１６は、場合によって積層されないこともある。」（公報４頁８欄３７行〜５頁９欄１４行）、「部品Ａと���とは、夫々、第１１図に示すとおり、溝ＬＶと発熱抵抗体パターンＨＴとが対応位置にくるように位置合せを行なった後、互に層合される。次に、・・・接合剤層を更に半硬化させ、ここで一度、位置ズレ、或は溝ＬＶの目詰り等の有無を確認する。・・・そして、欠陥のない場合には、・・・接合剤層を完全硬化させる。その後、溝ＬＶの目詰りの有無を再度確認し、欠陥がない場合には、組立た作用部ブロックＣを次工程に移す。続く工程では、第１２図に示すようなインク供給に係る中継室ブロックＤの組立を行なう。」（公報５頁９欄２３〜３８行）、「部品Ｈ，Ｈ′を通じて、各長尺溝ＬＶ内に記録用インクの導入を行なう。次に、・・・発熱抵抗体に電気パルス信号が入力されると、そこに熱的パルスが発生し、その結果、インクは瞬時に状態変化を起こす。この状態変化によって、前記インクには圧力波（作用力）が加わり、その結果、インクが前記溝ＬＶに連続して設けた吐出オリフィスＯＲより小液滴となって吐出・飛翔し、これが・・・被記録部材上に付着することによって記録が為される。」（公報６頁１１欄１１行〜１２欄４行）と記載されており、これらの記載によれば、この引用文献には、
　「導入される記録用インクＩＫを収容するとともに、該記録用インクＩＫに熱によって気泡を発生させ、該気泡の体積増加にともなう作用力を発生させる発熱部を付設した長尺孔から成る作用室２と、該作用室２に連絡して前記記録用インクＩＫを前記作用力によって小液滴７として吐出させるためのオリフィス６（ＯＲ）と、前記作用室２に連絡して前記作用室２に前記記録用インクＩＫを導入するための中継室ブロックＤと、該中継室ブロックＤに前記記録用インクＩＫを導入する部品Ｈ，Ｈ′よりなる液滴噴射記録装置において、前記発熱部は基板１１（構成部品Ｂ）上に配設された少なくとも電極５１、発熱抵抗体層１３、電極５２よりなり、該電極５１が複数の発熱抵抗体層１３に対して共通の電極であり、かつ、前記作用室２は、長尺溝ＬＶが形成された構成部品Ａと前記発熱部が付設された基板１１（構成部品Ｂ）とを積層することにより形成されていることを特徴とする液滴噴射記録装置。」が記載されている。
【３】対比・判断
〔１〕本願発明と引用文献に記載された発明との比較
　引用文献に記載された発明における「記録用インクＩＫ」，「発熱部」，「長尺孔から成る作用室２」，「小液滴７」，「オリフィス６（ＯＲ）」，「中継室ブロックＤ」，「部品Ｈ，Ｈ′」，「液滴噴射記録装置」は、それぞれ、本願発明における「記録液体」，「熱エネルギー作用部」，「流路」，「液滴」，「オリフィス」，「液室」，「記録液体を導入する手段」，「液体噴射記録ヘッド」に相当するから、本願発明と引用文献に記載された発明とはそれらの前提となる「液体噴射記録ヘッド」の基本的な構成において一致し、
　また、引用文献に記載された発明における「基板１１（構成部品Ｂ）」，「電極５１」，「発熱抵抗体層１３」，「電極５２」，「長尺溝ＬＶ」，「構成部品Ａ」は、それぞれ、本願発明における「基板」，「アース電極」，「発熱体」，「制御電極」，「流路溝」，「溝付き基板」に一応相当するから、本願発明と引用文献に記載された発明とは上記基本的な構成以外の構成においてほぼ同一の構成要素を備えてはいるが、以下の点でその内容が相違している。
１．「基板」の構成に関して、本願発明では「平坦な基板」としているのに対して、引用文献に記載された発明では「基板」が「平坦」であることについて特に言及していない点。
２．「発熱体」及び「制御電極」の構成に関して、本願発明では「発熱体、制御電極の２つの中心線及び流路の中心線が少なくとも流路部では実質上一致し」、更に、「制御電極の巾が、流路部において、流路の巾より小さくされ」ているのに対し、引用文献に記載された発明では「発熱体」と「制御電極」との配置関係や「制御電極」の巾について特に言及していない点。
　尚、本願発明において、「流路の離間部において溝付き基板と平坦な基板とが隙間なく接する」と構成を限定しているが、「アース電極」を「共通の電極」とした本願発明の場合、「溝付き基板」と「平坦な基板」との間には、全面的に　「アース電極」や「絶縁層」が介在することになる（第５，６図参照）から、　「流路の離間部において溝付き基板と平坦な基板とが隙間なく接する」ことは実質上不可能であって、当該構成の記載は不明瞭であり、従って、当該構成の点において、本願発明が引用文献に記載された発明に比して格別のものと云うことができない。
〔２〕相違点１，２についての検討
　先ず、相違点１に係る本願発明の構成については、引用文献における第９図　（ａ）（ｂ），第１０，１１，１２図，等の記載、及び、前記した「第９図にマルチアレイ記録ヘッドの作用室ブロックを構成するための２つの構成部品Ａ，Ｂが・・・描かれている。・・・構成部品Ａは下記の手順に従って作成される。先ず、アルカリ金属弗化物系感光性ガラス・・・の平板を両面共に研磨処理した後、・・・切断する。」（公報４頁７欄１７〜２７行），「部品ＡとＢとは、・・・互に層合される。・・・」（公報５頁９欄２３〜３８行），等の前記各図面に関する説明の記載、更には、当該技術分野における技術常識からみて、当業者が容易に想到しうる技術事項であると認められる。
　次に、相違点２に係る本願発明の構成については、引用文献における第２図，第９図（ａ）（ｂ），第１０，１１，１２図，等の記載、及び、前記した「・・・発熱体４としては、第２図に模式的平面図で略示するとおり、鎖線で表わされる作用室２の領域内に設置され・・・」（公報３頁５欄２１〜２８行），「第９図ａに示すとおり、ガラス板ＰＧには、断面５０μｍ×５０μｍの長尺溝ＬＶが１００μｍのピッチで所定数、形成された。」（公報４頁８欄７〜１０行），　「・・・電極層１４は所定パターンにエッチングされ、第９図ｂに斜視図で略示するとおり、個別リード電極ＰＥ、及び共通リード電極ＣＥに分離される。そして、同時に発熱抵抗体層１３は、図示ｌ２の長さが夫々２５０μｍ、ｌ３の長さが５０μｍとなるようにして、前記構成部品Ａに於ける長尺溝ＬＶと同ピッチで長方形のパターンＨＴで露出された。・・・」（公報４頁８欄３７行〜５頁９欄１４行），「部品ＡとＢとは、夫々、第１１図に示すとおり、溝ＬＶと発熱抵抗体パターンＨＴとが対応位置にくるように位置合せを行なった後、互に層合される。・・・」（公報５頁９欄２３〜３８行），等の前記各図面に関する説明の記載、更には、当該技術分野における技術常識からみて、当業者が容易に想到しうる技術事項であると認められる。
〔３〕結論
　以上のとおりであるから、本願発明は、引用文献に記載された発明から当業者が容易に発明することができたものと云わざるをえない。
【４】むすび
　従って、本願発明は、引用文献に記載された発明から当業者が容易に発明することができたものと認められるから、特許法第２９条第２項の規定により特許を受けることができない。
　よって、結論のとおり審決する。